(57)【要約】【課題】使い捨てカバーを被せた状態で筐体を挿入し、照明光源により照明しながら撮像カメラにより口腔内を撮像し、信号処理部を介してモニターにより歯の汚れや歯垢、歯石、虫歯痕跡等の異常部位の有無を観察することができ、虫歯の状態が重度であれば異常部位を直ちに発見することができ、軽度な部位を発見した場合には虫歯発見具により虫歯か否かを判別することができ、虫歯や口腔内の異常の発見及び対策を良好に行うことができる。【解決手段】筐体１に、口腔内を撮像する撮像カメラ２と、撮像部位を照明する照明光源と、撮像カメラからの出力を変換してモニターに映像信号を出力する信号処理部４と、電源供給を行う電源部５とを備え、筐体の外面に使い捨てカバー９を設けてなり、使い捨てカバーを介して探針１０ａや歯間ブラシ１０ｂなどの虫歯発見具１０を位置調節自在に磁着させる磁着構造１１を設けてなる。【選択図】図１
2010115452.tif 000002
【特許請求の範囲】
【請求項１】
口腔内に挿入可能な筐体に、口腔内を撮像する撮像カメラと、撮像部位を照明する照明光源と、該撮像カメラからの出力を変換してモニターに映像信号を出力する信号処理部と、電源供給を行う電源部とを備え、該筐体の外面に使い捨てカバーを設けてなり、上記筐体の外面に上記使い捨てカバーを介して探針や歯間ブラシなどの虫歯発見具を位置調節自在に磁着させる磁着構造を設けてなることを特徴とする家庭用口腔内観察予防器具。
【請求項２】
上記磁着構造は永久磁石及び磁性体からなることを特徴とする請求項１記載の家庭用口腔内観察予防器具。
【請求項３】
上記信号処理部からの映像信号をテレビモニターに入力するための出力端子を備えてなることを特徴とする請求項１記載の家庭用口腔内観察予防器具。
【発明の詳細な説明】
【技術分野】
【０００１】
本発明は例えば歯の汚れや歯垢、歯石、虫歯痕跡等の異常部位の観察及び予防に用いられる家庭用口腔内観察予防器具に関するものである。
【背景技術】
【０００２】
従来、この種の口腔内観察器具として、口腔内に挿入可能な筐体に、口腔内を撮像する撮像カメラと、撮像部位を照明する照明光源と、該撮像カメラからの出力を変換して映像信号を出力する信号処理部と、電源供給を行う電源部とを備え、該筐体の外面に使い捨てカバーを設けてなる構造のものが知られている。
【特許文献１】特開２００７−２３６７０７
【発明の開示】
【発明が解決しようとする課題】
【０００３】
しかしながら上記従来構造の場合、口腔内に筐体を挿入して口腔内の歯の汚れや歯垢、歯石、虫歯痕跡等の異常部位の有無を観察し、虫歯の状態が重度であれば異常部位を発見することができるものの、虫歯の状態が少しの変色等により見落としがちの軽度であって未だしみや痛みが感じられない場合には外観を観察しただけでは発見することができず、往々にして歯科に行かずに放置してしまうことがあり、このため、外部観察からだけでは虫歯と判別できず、いよいよ虫歯が進行して歯が突然痛み出し、慌てて歯科医院に駆け込んだり、ときには神経を抜いたりして抜歯に至ったりすることになる。
【課題を解決するための手段】
【０００４】
本発明はこのような不都合を解決することを目的とするもので、本発明のうちで、請求項１記載の発明は、口腔内に挿入可能な筐体に、口腔内を撮像する撮像カメラと、撮像部位を照明する照明光源と、該撮像カメラからの出力を変換してモニターに映像信号を出力する信号処理部と、電源供給を行う電源部とを備え、該筐体の外面に使い捨てカバーを設けてなり、上記筐体の外面に上記使い捨てカバーを介して探針や歯間ブラシなどの虫歯発見具を位置調節自在に磁着させる磁着構造を設けてなることを特徴とする家庭用口腔内観察予防器具にある。
【０００５】
又、請求項２記載の発明は、上記磁着構造は永久磁石及び磁性体からなることを特徴とするものであり、又、請求項３記載の発明は、上記信号処理部からの映像信号をテレビモニタに入力するための出力端子を備えてなることを特徴とするものである。
【発明の効果】
【０００６】
本発明は上述の如く、請求項１記載の発明にあっては、筐体を手で持って、口腔内に使い捨てカバーを被せた状態で筐体を挿入し、照明光源により照明しながら撮像カメラにより口腔内を撮像し、信号処理部を介してモニターにより歯の汚れや歯垢、歯石、虫歯痕跡等の異常部位の有無を観察することができ、虫歯の状態が重度であれば異常部位を直ちに発見することができ、かつ、少し変色した程度の見落としがちな軽度な部位を発見した場合には、筐体の外面に虫歯発見具を磁着したままの状態で探針や歯間ブラシなどの虫歯発見具により歯の表面を擦ったりすることにより虫歯か否かを即座に判別することができ、虫歯を早期に発見することができ、虫歯と判別できた場合には歯科医院に行く対策をすることができ、そうで無ければそのまま放置することもでき、歯垢や歯石を取ったり、歯周ポケット内の掃除も行うことができて虫歯を早期に発見することもでき、しかも、モニターにより異常部位及び虫歯発見具を同時に観察しながら予防対策をすることができ、虫歯発見具は磁着構造により磁着されて筐体に対して位置調節することができ、撮像カメラと虫歯発見具の先端部との相対位置を調節することにより異常部位の観察観察及び虫歯発見具の先端部の観察を良好に同時観察することができ、さらに、虫歯発見具は磁着構造により磁着されているから、サイズや先端部の形状が異なる虫歯発見具に容易に交換することができて異常部位の対策を確実に行うことができ、異常部位の初期段階での発見を迅速に行うことができ、虫歯や口腔内の異常の発見及び対策を良好に行うことができる。
【０００７】
又、請求項２記載の発明にあっては、上記磁着構造は永久磁石及び磁性体からなるので、虫歯発見具と筐体との着脱構造を簡素化することができると共に容易に着脱することができ、又、請求項３記載の発明にあっては、上記信号処理部からの映像信号をモニターに入力するための出力端子を備えてなるから、家庭用のテレビモニターなどに容易に接続することができ、使用の利便性を高めることができる。
【発明を実施するための最良の形態】
【０００８】
図１乃至図５は本発明の実施の形態例を示し、１は筐体であって、口腔内に挿入可能な大きさの形態に形成され、この筐体１に、口腔内を撮像する撮像カメラ２と、撮像部位を照明する照明光源３と、撮像カメラ２からの出力を変換して映像信号を出力する信号処理部４と、電源供給を行う電源部５と、信号処理部４からの映像信号を接続コード６を介してモニター７、この場合テレビモニターに入力するための出力端子８を備えて構成されている。この場合、筐体１の大きさとして、長さ約２１ｃｍ×幅約３ｃｍ×厚さ約３ｃｍとなっており、撮像カメラ２の撮像素子としてＣＭＯＳが用いられ、ＣＣＤを用いることもでき、照明光源３の発光素子としてＬＥＤ（発光ダイオード）が用いられ、電源部５として乾電池が用いられ、商用電源を用いることもできる。
【０００９】
９は使い捨てカバーであって、この場合、透明な合成樹脂により袋状に形成され、上記筐体１の外面に被せて使用することにより複数の使用者が衛生的に使用できるように使い捨てにして用いられるものである。
【００１０】
１０は虫歯発見具であって、この場合、歯の表面を擦ったり、歯垢や歯石を取ったり、歯周ポケット内の掃除をすることができる形状の探針１０ａと歯間ブラシ１０ｂが用いられ、上記筐体１の外面に上記使い捨てカバー９を介して磁着構造１１により位置調節自在に磁着できるように構成している。
【００１１】
この場合、上記磁着構造１１は永久磁石１１ａ及びこの場合鉄片である磁性体１１ｂからなり、筐体１の外面に磁性体１１ｂを内装固定し、虫歯発見具１０として探針１０ａや歯間ブラシ１０ｂを採用し、この場合、磁性体からなる探針１０ａであるからそのまま永久磁石１１ａに磁着され、歯間ブラシ１０ｂは非磁性体からなるので、歯間ブラシ１０ｂの基部に鉄片である磁性体１１ｃを止着し、永久磁石１１ａの磁力により探針１０ａや歯間ブラシ１０ｂなどの虫歯発見具１０を磁着できるように構成している。
【００１２】
この実施の形態例は上記構成であるから、筐体１を手で持って、口腔内に使い捨てカバー９を被せた状態で筐体１を挿入し、照明光源３により照明しながら撮像カメラ２により口腔内を撮像し、信号処理部４を介してモニター７により歯の汚れや歯垢、歯石、虫歯痕跡等の異常部位の有無を観察することができ、そして、少し変色した程度の軽度な部位を発見した場合には、筐体１の外面に虫歯発見具１０を磁着したままの状態で探針１０ａや歯間ブラシ１０ｂなどの虫歯発見具１０により歯の表面を擦ったりすることにより虫歯か否かを即座に判別することができ、虫歯を早期に発見することができ、虫歯と判別できた場合には歯科医院に行く対策をすることができ、そうで無ければそのまま放置することもでき、歯垢や歯石を取ったり、歯周ポケット内の掃除も行うことができて虫歯を早期に発見することもでき、しかも、虫歯発見具１０は磁着構造１１により磁着されて筐体１に対して位置調節することができ、撮像カメラ２と虫歯発見具１０の先端部との相対位置を調節することにより異常部位の観察観察及び虫歯発見具１０の先端部の観察を良好に同時観察することができ、さらに、虫歯発見具１０は磁着構造１１により磁着されているから、サイズや先端部の形状が異なる虫歯発見具１０に容易に交換することができて異常部位の予防対策をを確実に行うことができ、異常部位の初期段階での発見を迅速に行うことができ、虫歯や口腔内の異常の発見及び対策を良好に行うことができる。
【００１３】
この場合、上記磁着構造１１は永久磁石１１ａ及び磁性体１１ｂからなるので、虫歯発見具１０と筐体１との着脱構造を簡素化することができると共に容易に着脱することができ、又、この場合、上記信号処理部４からの映像信号をモニター７に入力するための出力端子８を備えてなるから、家庭用のテレビモニターなどに容易に接続することができ、使用の利便性を高めることができる。
【００１４】
尚、本発明は上記実施の形態例に限られるものではなく、撮像カメラ２、照明光源３の構造や個数、虫歯発見具１０の種類、形状、材質、構造、大きさ等は適宜変更して設計される。
【００１５】
以上の如く、所期の目的を充分達成することができる。
【図面の簡単な説明】
【００１６】
【図１】本発明の実施の形態例の斜視図である。
【図２】本発明の実施の形態例の側面図である。
【図３】本発明の実施の形態例の斜視図である。
【図４】本発明の実施の形態例の構成ブロック図である。
【図５】本発明の実施の形態例の使用状態図である。
【符号の説明】
【００１７】
１  筐体
２  撮像カメラ
３  照明光源
４  信号処理部
５  電源部
７  テレビモニタ
８  出力端子
９  使い捨てカバー
１０  虫歯発見具
１０ａ  探針
１０ｂ  歯間ブラシ
１１  磁着構造
１１ａ  永久磁石
１１ｂ  磁性体
１１ｃ  磁性体
【図１】
2010115452.tif 000003
【図２】
2010115452.tif 000004
【図３】
2010115452.tif 000005
【図４】
2010115452.tif 000006
【図５】
2010115452.tif 000007